(57)【特許請求の範囲】
【請求項１】
光源と、
上記光源から出射された光ビームを光ディスクの信号記録面上に集束させる光集束手段と、
上記光源と光集束手段との間に配設された光分離手段と、
上記光分離手段で分離された光ディスクの信号記録面からの戻り光を受光する受光部を有する光検出器とを有し、
上記光分離手段は、上記光ビームの光軸に対し垂直な第一及び第二の面を有し、上記光源側の上記第一の面に第一の回折格子と複数の互いに異なる法線ベクトルを有する二つの平面からなる光路分岐部とが設けられ、上記光ディスク側の上記第二の面に第二の回折格子が設けられ、
上記第一の回折格子は、上記光源からの光をメインビーム及びサイドビームに分割し、上記第二の回折格子は、上記光源からの光を透過させ、上記光ディスクからの戻り光を上記光路分岐部に向かって回折させ、上記光路分岐部の二つの平面の境界は、上記第二の回折格子の上記戻り光の回折方向と平行に配置されていることを特徴とする光学ピックアップ。
【請求項２】
上記光路分岐部が、フーコープリズムであることを特徴とする請求項１記載の光学ピックアップ。
【請求項３】
上記第二の回折格子が、ホログラムであることを特徴とする請求項１に記載の光学ピックアップ。
【請求項４】
上記光分離手段が、プラスチックの射出成形により形成されていることを特徴とする請求項１記載の光学ピックアップ。
【請求項５】
上記光分離手段が、ガラスプレスモールドにより形成されていることを特徴とする請求項１記載の光学ピックアップ。
【請求項６】
上記光源及び光検出器が、一つの半導体基板上に形成されていると共に、上記光分離手段が、この半導体基板上に対して支持されていることを特徴とする請求項１記載の光学ピックアップ。
【請求項７】
上記光検出器が、その各受光部が光路分岐部により分割された各光ビームを受光することにより、再生信号及びフォーカスエラー信号及びトラッキングエラー信号を生成するための検出信号を出力することを特徴とする請求項１記載の光学ピックアップ。
【請求項８】
光ディスクを回転駆動する駆動手段と、
回転する光ディスクに対して光集束手段を介して光を照射し、光ディスクからの信号記録面からの戻り光を光集束手段を介して検出する光学ピックアップと、
上記光集束手段をフォーカス方向及びトラッキング方向の二軸方向に移動可能に支持する二軸アクチュエータと、
上記光学ピックアップからの検出信号に基づいて再生信号を生成する信号処理回路と、
上記光学ピックアップからの検出信号に基づいて、上記光集束手段を上記二軸方向に移動させるサーボ回路とを備え、
上記光学ピックアップは、光源と、上記光源から出射された光ビームを光ディスクの信号記録面上に集束させる光集束手段と、上記光源と光集束手段との間に配設された光分離手段と、上記光分離手段で分離された光ディスクの信号記録面からの戻り光を受光する受光部を有する光検出器とを有し、
上記光分離手段は、上記光ビームの光軸に対し垂直な第一及び第二の面を有し、上記光源側の上記第一の面に第一の回折格子と複数の互いに異なる法線ベクトルを有する二つの平面からなる光路分岐部とが設けられ、上記光ディスク側の上記第二の面に第二の回折格子が設けられ、
上記第一の回折格子は、上記光源からの光をメインビーム及びサイドビームに分割し、上記第二の回折格子は、上記光源からの光を透過させ、上記光ディスクからの戻り光を上記光路分岐部に向かって回折させ、上記光路分岐部の二つの平面の境界は、上記第二の回折格子の上記戻り光の回折方向と平行に配置されていることを特徴とする光ディスク装置。
【発明の詳細な説明】
【０００１】
【発明の属する技術分野】
本発明は、ミニディスク（ＭＤ），光磁気ディスク（ＭＯ），コンパクトディスク（ＣＤ），ＣＤ−ＲＯＭ等の光学式ディスク（以下、「光ディスク」という）の信号を記録及び／又は再生するための光学ピックアップ、及びこの光学ピックアップを備えた光ディスク装置に関するものである。
【０００２】
【従来の技術】
従来、光ディスク用の光学ピックアップは、光学系の簡略化、安定化、小型化を目的として、ホログラム素子を用いたものが各種提案されており、例えば図３に示すように構成されている。
図３において、光学ピックアップ１は、発光素子２，ホログラム素子３，対物レンズ４及び光検出器５を含んでいる。
【０００３】
上記ホログラム素子３は、発光素子２からの光ビームの光軸に対して垂直な二面を備えており、発光素子２側の第一面（図３にて下面）には、発光素子２からの光ビームの光軸上に、回折格子３ａが形成されている。
さらに、ホログラム素子３は、その光ディスクＤ側の第二面（図３にて上面）に、発光素子２からの光ビームの光軸上に、ホログラム３ｂが形成されている。
【０００４】
上記ホログラム３ｂは、発光素子２からの光ビームをそのまま透過させると共に、光ディスクＤからの戻り光を回折させ、上記光検出器５に導くようになっている。
ここで、ホログラム３ｂは、図示のように、光ディスクＤのトラック方向に平行な方向に関して分割された二つのホログラム部３ｂ−１，３ｂ−２を備えており、これらのホログラム部３ｂ−１，３ｂ−２は、互いに空間周波数が不連続になっている。
【０００５】
上記光検出器５は、図示の場合、回折格子３ａにより分割されたメインビームが入射すべき中央の受光部５ａと、この受光部５ａの両側に設けられたサイドビームが入射すべき受光部Ｅ，Ｆとから成り、さらに受光部５ａは、縦横に四分割された四つの受光部Ａ，Ｂ，Ｃ，Ｄを有している。
【０００６】
そして、上記各受光部Ａ，Ｂ，Ｃ，Ｄ，Ｅ，Ｆからの検出信号は、図示しない処理回路において、それぞれヘッドアンプにより増幅された後、出力信号Ｓａ，Ｓｂ，Ｓｃ，Ｓｄ，Ｓｅ，Ｓｆとなり、さらに演算回路によって、再生信号ＲＦ１は、例えば
【数１】
0003697875.tif 000002
により、またフォーカスエラー信号ＦＥ１は、
【数２】
0003697875.tif 000003
または
【数３】
0003697875.tif 000004
により、さらにトラッキングエラー信号ＴＥ１は、
【数４】
0003697875.tif 000005
によって、演算されるようになっている。
【０００７】
このような構成の光学ピックアップ１においては、発光素子２からの光ビームは、ホログラム素子３の回折格子３ａによりメインビーム及び二つのサイドビームに分割された後、ホログラム３ｂを透過し、対物レンズ４により光ディスクＤの信号記録面に照射される。
この信号記録面で反射された戻り光ビームは、再び対物レンズ４を介して、ホログラム３ｂに入射する。ここで、上記戻り光は、ホログラム３ｂの各ホログラム部３ｂ−１，３ｂ−２により回折されて、メインビームの戻り光が光検出器５の受光部５ａに入射すると共に、サイドビームの戻り光は、光検出器５の受光部Ｅ，Ｆに入射する。
これにより、光検出器５の各受光部Ａ，Ｂ，Ｃ，Ｄ，Ｅ，Ｆからの検出信号に基づいて、再生信号ＲＦ１が検出されると共に、フォーカスエラー信号ＦＥ１及びトラッキングエラー信号ＴＥ１が検出される。
【０００８】
また、図４に示すような光学ピックアップも知られている。
図４において、光学ピックアップ６は受発光素子７，ホログラム素子３及び対物レンズ４を含んでいる。
【０００９】
上記受発光素子７は、図示のように、一つの半導体基板９ａ上に一体に構成されている。
即ち、受発光素子７は、発光部が、半導体基板７ａ上に形成された半導体レーザ素子７ｂと、半導体基板７ａの表面から斜めに傾斜するように形成された反射鏡７ｃとから構成され、また光検出器が、半導体基板７ａ上に形成された第一の光検出器８及び第二の光検出器９から構成されている。
【００１０】
上記ホログラム素子３は、この場合、受発光素子７からの光ビームの光軸に対して垂直な二面を備えており、受発光素子７側の第一面（図４にて下面）には、受発光素子９からの光ビームの光軸上に、回折格子３ａが形成されており、その光ディスクＤ側の第二面（図３にて上面）には、受発光素子７からの光ビームの光軸上に、ホログラム３ｃが形成されている。
【００１１】
この場合、上記ホログラム３ｃは、一つの連続した領域として構成されており、受発光素子７からの光ビームをそのまま透過させると共に、光ディスクＤからの戻り光を回折させ、１次光及び−１次光を、それぞれ第一の光検出器８，第二の光検出器９に導くようになっている。
【００１２】
上記光検出器８，９は、それぞれ図示のように、回折格子３ａにより分割されたメインビームが入射すべき中央の受光部と、これらの中央の受光部の両側に設けられたサイドビームが入射すべき受光部８ｅ，８ｆ，９ｅ，９ｆとから成り、さらに中央の受光部は、それぞれ光ディスクＤのトラック方向に平行な分割線によって、三分割された受光部８ａ，８ｂ，８ｃ，９ａ，９ｂ，９ｃを有している。
【００１３】
そして、上記各受光部８ａ，８ｂ，８ｃ，８ｅ，８ｆ及び９ａ，９ｂ，９ｃ，９ｅ，９ｆからの検出信号は、図示しない処理回路において、それぞれヘッドアンプにより増幅された後、出力信号ＳＡ，ＳＢ，ＳＣ，ＳＥ，ＳＦ，ＳＧ，ＳＨ，ＳＩ，ＳＫ，ＳＬとなり、さらに演算回路によって、再生信号ＲＦ２は、例えば
【数５】
0003697875.tif 000006
により、またフォーカスエラー信号ＦＥ２は、
【数６】
0003697875.tif 000007
により、さらにトラッキングエラー信号ＴＥ２は、
【数７】
0003697875.tif 000008
によって、演算されるようになっている。
【００１４】
このような構成の光学ピックアップ６においては、受発光素子７からの光ビームは、ホログラム素子３の回折格子３ａによりメインビーム及び二つのサイドビームに分割された後、ホログラム３ｃを透過し、対物レンズ４により光ディスクＤの信号記録面に照射される。
この信号記録面で反射された戻り光ビームは、再び対物レンズ４を介して、ホログラム３ｃに入射する。ここで、戻り光は、ホログラム３ｃにより回折されて、１次光及び−１次光が、受発光素子７の第一の光検出器８及び第二の光検出器９に入射する。
これにより、各光検出器８，９の各受光部からの検出信号に基づいて、再生信号ＲＦ２が検出されると共に、フォーカスエラー信号ＦＥ２及びトラッキングエラー信号ＴＥ２が検出される。
【００１５】
【発明が解決しようとする課題】
しかしながら、このような構成の光ピックアップ１，６においては、以下に示すような問題がある。
先づ、光学ピックアップ１においては、フォーカスエラー信号は、所謂フーコー法によって検出されるようになっているが、光検出器５の各検出部Ａ，Ｂ及びＣ，Ｄに対してそれぞれメインビームの戻り光を導くために、ホログラム素子３のホログラム３ｂが、異なる回折角を有する複数の領域３ｂ−１，３ｂ−２を有するように、構成する必要がある。
従って、ホログラム素子３をエッチングや射出成形等により製造するためのマスク金型等が複雑になり、コストが高くなってしまうという問題があった。
【００１６】
これに対して、光学ピックアップ６においては、フォーカスエラー信号は、所謂ビームサイズ法によって検出されるようになっており、ホログラム素子３のホログラム３ｃは、連続した領域として構成されるので、光学ピックアップ１の場合と比べると、ホログラム素子３が容易に低コストで製造されることになる。
ところが、この場合には、ビームサイズ法の原理上、受発光素子７の光検出器８，９上での戻り光のスポット径を大きくする必要がある。このため、トラッキングエラー信号検出のための受光部８ｅ，８ｆ，９ｅ，９ｆと、中央の受光部との間の距離が長くなってしまうため、光ディスクＤの信号記録面におけるメインビーム及びサイドビームの距離をあまり小さくすることができず、トラッキングエラー信号が、光ディスクＤの信号記録面の傷等による影響を受け易くなってしまうという問題があった。
さらに、このフォーカスエラー検出方法の特徴によって、フォーカスエラーが対物レンズの焦点深度に比較して大きい領域では、偽の合焦点信号を発生することになってしまうため、この偽の合焦点信号に対する対策が必要になるという問題があった。
【００１７】
本発明は、以上の点に鑑み、小型に且つ低コストで構成され、正確なサーボが可能な、光学ピックアップ及びこれを利用した光ディスク装置を提供することを目的としている。
【００１８】
【課題を解決するための手段】
上述の目的を達成するために提案される本発明に係る光学ピックアップ装置は、光源と、上記光源から出射された光ビームを光ディスクの信号記録面上に集束させる光集束手段と、上記光源と光集束手段との間に配設された光分離手段と、上記光分離手段で分離された光ディスクの信号記録面からの戻り光を受光する受光部を有する光検出器とを有する。そして、上記光分離手段は、上記光ビームの光軸に対し垂直な第一及び第二の面を有し、上記光源側の上記第一の面に第一の回折格子と複数の互いに異なる法線ベクトルを有する二つの平面からなる光路分岐部とが設けられ、上記光ディスク側の上記第二の面に第二の回折格子が設けられ、上記第一の回折格子は、上記光源からの光をメインビーム及びサイドビームに分割し、上記第二の回折格子は、上記光源からの光を透過させ、上記光ディスクからの戻り光を上記光路分岐部に向かって回折させ、上記光路分岐部の二つの平面の境界は、上記第二の回折格子の上記戻り光の回折方向と平行に配置されている。
【００１９】
上記構成によれば、光源から出射された光ビームは、光分離手段の第一の回折格子によって３つの光ビーム即ちメインビーム及びサイドビームに分離され、それぞれ例えばホログラム等の第二の回折格子を透過した後、光集束手段を介して光ディスクの信号記録面に照射される。
【００２０】
光ディスクの信号記録面からの戻り光ビームは、再び光集束手段を介して光分離手段の第二の回折格子に入射する。そして、戻り光ビームは、この第二の回折格子によって回折され、メインビームの戻り光が例えばフーコープリズム等の光路分岐部に入射する。従って、メインビームの戻り光は、この光路分岐部の各面によって分岐され、それぞれ光検出器の対応する受光部に入射することになる。これにより、当該受光部からの検出信号に基づいて、再生信号が生成されると共に、所謂フーコー法によって、フォーカスエラー信号が検出される。
また、サイドビームの戻り光は、同様に前記光路分岐部の各面によって分岐され、光検出器の対応する受光部に入射することになり、当該受光部からの検出信号に基づいて、例えば３ビーム法によりトラッキングエラー信号が検出されることになる。
【００２１】
この場合、フォーカスエラー信号は、所謂フーコー法によって検出されることから、光検出器上に形成される戻り光ビームのスポット径が小さい。このため、メインビーム及びサイドビームの間隔を小さくすることが可能となり、光ディスクに記録された信号列とメインビーム及びサイドビームのスポットを結ぶ線がなす角の許容幅を大きくすることができる。
また、戻り光は、光路分岐部によって分岐されることから、第二の回折格子は、戻り光全体を纒めて同じ方向に回折させればよい。従って、第二の回折格子は、領域分割する必要はなく、連続した一つの領域として構成される。これにより、光分離手段全体が簡単な構成となる。
【００２２】
さらに、上記光路分岐部は、光分離手段の光源側の面に設けられているので、部品点数が少なくて済み、光学ピックアップ全体が小型化，薄型化できる。
また、トラッキングエラー信号は、所謂３ビーム法によって検出されることから、光ディスクの信号記録面に傷等の欠陥があったとしても、安定したトラッキングサーボが可能である。
【００２３】
上記光分離手段が、プラスチックの射出成形またはガラスプレスモールドにより形成されている場合には、光分離手段は、容易に且つ低コストで製造されることになる。
【００２４】
上記光源及び光検出器が、一つの半導体基板上に形成されていると共に、上記光分離手段が、この半導体基板上に対して支持されている場合には、光源，光検出器及び光分離手段が、一つのユニットとして一体に構成されることになり、光学ピックアップそして光ディスク装置全体がより一層小型に構成されることになる。
【００２５】
【発明の実施の形態】
以下、この発明の好適な実施形態を図１乃至図２を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２６】
図１は、本発明の実施形態による光学ピックアップを組み込んだ光ディスク装置の一実施形態を示している。
図１において、光ディスク装置１０は、光ディスク１１を回転駆動する駆動手段としてのスピンドルモータ１２と、回転する光ディスク１１の信号記録面に対して光ビームを照射して信号を記録し、この信号記録面からの戻り光ビームにより記録信号を再生する光学ピックアップ２０及びこれらを制御する制御部１３を備えている。
ここで、制御部１３は、光ディスクコントローラ１４，信号復調器１５，誤り訂正回路１６，インターフェイス１７，ヘッドアクセス制御部１８及びサーボ回路１９を備えている。
【００２７】
光ディスクコントローラ１４は、スピンドルモータ１２を所定の回転数で駆動制御する。信号復調器１５は、光学ピックアップ２０からの記録信号を復調して誤り訂正し、インターフェイス１７を介して外部コンピュータ等に送出する。これにより、外部コンピュータ等は、光ディスク１１に記録された信号を再生信号として受け取ることができるようになっている。
【００２８】
ヘッドアクセス制御部１８は、光学ピックアップ２０を例えば光ディスク１１上の所定の記録トラックまでトラックジャンプ等により移動させる。サーボ回路１９は、この移動された所定位置において、光学ピックアップ２０の二軸アクチュエータに保持されている対物レンズをフォーカシング方向及びトラッキング方向に移動させる。
【００２９】
図２は、上記光ディスク装置１０に組み込まれた光学ピックアップを示している。
図２において、光学ピックアップ１３は、光源としての発光部２１，光分離手段としてのホログラム素子２２，光集束手段としての対物レンズ２３及び光検出器２４を含んでいる。
【００３０】
発光部２１は、第一の半導体基板２１ａ上に配設された第二の半導体基板２１ｂ上に載置された半導体レーザ素子２１ｃと、半導体基板２１ａの表面から例えば斜め４５度に傾斜するように形成された反射鏡２１ｄとを備えている。
ここで、半導体レーザ素子２１ｃは、半導体の再結合を利用した発光素子であって、光源として作用して、ｘ方向に光ビームを出射するようになっている。このようにして半導体レーザ素子２１ｃから出射した光ビームは、反射鏡２１ｄによって反射され、ｚ方向に進むことになる。
【００３１】
上記ホログラム素子２２は、発光部２１からの光ビームの光軸に対して垂直な二面を備えており、発光部２１側の第一面２２ａ（図２にて下面）には、発光部２１からの光ビームの光軸上に、第一の回折格子２５が形成されていると共に、光軸から離れた領域に、光分岐部としてのフーコープリズム２６が形成されている。
さらに、ホログラム素子２２は、その光ディスク１１側の第二面２２ｂ（図２にて上面）に、発光部２１からの光ビームの光軸上に、第二の回折格子としてのホログラム２７が形成されている。
【００３２】
ここで、上記回折格子２５は、ｘ軸方向に延びる平行な溝を有しており、発光部２１からの光ビームを、０次回折光から成るメインビーム及びプラスマイナス１次回折光から成るサイドビームに分割する。
尚、回折格子２５は、上記メインビーム及びサイドビーム全体を透過させ得るように、その領域面積ができるだけ小さく選定されている。
【００３３】
上記ホログラム２７は、発光部２１からの光ビームをそのまま透過させると共に、光ディスク１１からの戻り光を回折させ、上記光検出器２４に導くようになっている。
さらに、ホログラム２７は、全体が一つの回折領域として、ｙ軸にほぼ平行な曲線群または直線群として現れるなるような溝から成り、その空間周波数が連続するようになっている。これにより、光ディスク１１からの戻り光は、ホログラム７によってｘ方向に、所定の回折角θだけ回折される。
ここで、回折角θは、ホログラム２７によって回折された戻り光ビームが、回折格子２５を通ることがないように、選定される。
【００３４】
ここで、上記フーコープリズム２６は、互いに異なる法線ベクトルを有する二つの平面２６ａ，２６ｂから構成されており、これらの平面２６ａ，２６ｂの境界は、ｘ軸に平行に延びていると共に、ホログラム２７により回折された戻り光ビームの中心を通るように、配設されている。
ここで、一方の平面２６ａの法線ベクトルは、他方の平面２６ｂの法線ベクトルに対して、上述したホログラム２７による回折角θとほぼ同じ角度をなすようになっている。さらに、他方の平面２６ｂの法線ベクトルは、ホログラム素子２２の発光部２１側の面２２ａの法線ベクトルと同じ成分を有する。
【００３５】
上記対物レンズ２３は、凸レンズであって、発光部２１からの光を、ディスクＤの信号記録面との所望の記録トラック上に集束させる。
尚、対物レンズ２３は、図示しない二軸アクチュエータによって、二軸方向即ちフォーカシング方向及びトラッキング方向に移動可能に支持されている。
【００３６】
上記光検出器２４は、図示の場合、回折格子２５により分割されたメインビームが入射すべき中央の受光部２４ａと、この受光部２４ａの両側に設けられたサイドビームが入射すべき受光部Ｅ，Ｆとから成り、さらに受光部２４ａは、縦横に四分割された四つの受光部Ａ，Ｂ，Ｃ，Ｄを有している。
【００３７】
そして、上記各受光部Ａ，Ｂ，Ｃ，Ｄ，Ｅ，Ｆからの検出信号は、図示しない処理回路において、それぞれヘッドアンプにより増幅された後、出力信号Ｓａ，Ｓｂ，Ｓｃ，Ｓｄ，Ｓｅ，Ｓｆとなり、さらに演算回路によって、再生信号ＲＦは、例えば
【数８】
0003697875.tif 000009
により、またフォーカスエラー信号ＦＥは、所謂フーコー法によって、
【数９】
0003697875.tif 000010
または
【数１０】
0003697875.tif 000011
あるいは
【数１１】
0003697875.tif 000012
により、さらにトラッキングエラー信号ＴＥは、所謂３ビーム法によって、
【数１２】
0003697875.tif 000013
によって、演算されるようになっている。
【００３８】
尚、上記光検出器２４は、図２に示すように、発光部２１の半導体基板２１ａ上に形成されることにより、発光部２１と一体に構成されているが、これに限らず、発光部２１と別体に構成されてもよい。
【００３９】
本実施形態による光学ピックアップ１３を組み込んだ光ディスク装置１０は、以上のように構成されており、次のように動作する。
先づ、光ディスク装置１０のスピンドルモータ１２が回転することにより、光ディスク１１が回転駆動される。そして、光学ピックアップ１３が、図示しないガイドに沿って、光ディスク１１の半径方向に移動されることにより、対物レンズ２３の光軸が、光ディスク１１の所望のトラック位置まで移動されることにより、アクセスが行なわれる。
【００４０】
この状態にて、光学ピックアップ１３にて、発光部２１からの光ビームは、ホログラム素子２２の回折格子２５により３本の光ビームに分割された後、ホログラム２７を透過し、対物レンズ２３を介して、光ディスク１１の信号記録面に集束される。
光ディスク１１からの戻り光は、再び対物レンズ２３を介して、ホログラム素子２２のホログラム２７に入射する。そして、戻り光は、このホログラム２７によって回折され、メインビームの戻り光が、フーコープリズム２６に入射する。これにより、メインビームの戻り光は、フーコープリズム２６の各面２６ａ，２６ｂによって半円状に分割されて、それぞれ光検出器２４の各受光部に入射する。即ち、面２６ａを通った戻り光は、受光部Ａ及びＢに入射し、面２６ｂを通った光は、受光部Ｃ及びＤに入射することになる。また、サイドビームの戻り光は、フーコープリズム２６でほぼ半円状に分割されて光検出器２４の各受光部Ｅ，Ｆに入射することになる。
【００４１】
かくして、光検出器２４の各受光部の検出信号から、光ディスク１１の記録信号が再生されると共に、上述のように、３ビーム法によりトラッキングエラー信号ＴＥが検出され、またフーコー法によりフォーカシングエラー信号が検出され、これらの信号に基づいて、サーボ回路１９が、光ディスクドライブコントローラ１４を介して、光学ピックアップ１３のフォーカスサーボ及びトラッキングサーボを行なうようになっている。
【００４２】
この場合、光ディスク側の第二の回折格子であるホログラム２７は、全体が一つの連続した領域として構成されているので、プラスチックによる射出成形やガラスプレスモールド等によって容易に形成されると共に、成形金型が容易に作製されることにより、低コストで製造されることになる。
【００４３】
上記実施形態においては、ホログラム２７を備えたホログラム素子２２が使用されているが、これに限らず、光ディスク１１側の面に戻り光を分離するための回折格子を備えた光分離手段が設けられていればよいことは明らかである。
【００４４】
さらに、上記実施形態においては、上記ホログラム素子２２は、発光部２１及び光検出器２４と別体に構成されているが、発光部２１の半導体基板２１ａに対して一体的に支持されるように構成されていてもよい。この場合、発光部２１，光検出器２４とホログラム素子（または光分離手段）が一つのユニットとして一体的に構成されることになる。
【００４５】
また、上記実施形態による光ディスク装置１０及び光学ピックアップ１３においては、例えばコンパクトディスク（ＣＤ）やＣＤ−ＲＯＭ等の光ディスク再生用の無偏光光学ピックアップの構成が示されているが、これに限らず、光磁気ディスク（ＭＯ）等のための偏光光学ピックアップ及び光ディスク装置に対しても本発明を適用できることは明らかである。
【００４６】
【発明の効果】
以上述べたように、本発明によれば、小型に且つ低コストで構成され、正確なサーボが可能な、光学ピックアップ及びこれを利用した光ディスク装置を提供することができる。
【図面の簡単な説明】
【図１】本発明による光学ピックアップを組み込んだ光ディスク装置の一実施形態の全体構成を示すブロック図である。
【図２】図１の光ディスク装置における光学ピックアップの第一の実施形態の構成を示す概略斜視図である。
【図３】従来の光学ピックアップの一例の構成を示す概略斜視図である。
【図４】従来の光学ピックアップの他の例の構成を示す概略斜視図である。
【符号の簡単な説明】
１０・・・光ディスク装置、１１・・・光ディスク、１２・・・スピンドルモータ、１３・・・光学ピックアップ、１４・・・光ディスクトライブコントローラ、１５・・・信号復調器、１６・・・誤り訂正回路、１７・・・インターフェイス、１８・・・ヘッドアクセス制御部、２１・・・発光部（光源）、２２・・・ホログラム素子（光分離手段）、２３・・・対物レンズ（光集束手段）、２４・・・光検出器、２５・・・回折格子（第一の回折格子）、２６・・・フーコープリズム（光路分岐部）、２６ａ，２６ｂ・・・面、２７・・・ホログラム（第二の回折格子）。
【図１】
0003697875.tif 000014
【図２】
0003697875.tif 000015
【図３】
0003697875.tif 000016
【図４】
0003697875.tif 000017